(57)【要約】【課題】緯入れに使用するエア消費量を必要最少に抑える。【解決手段】緯糸の到達時期θｅ　に対する上限値、下限値を設定し、補正量Δθ１　、Δθ２　を出力する補正部１４を設ける。補正部１４は、到達時期θｅ　が上限値より遅いとき、サブノズルの噴射終期の設定値θ２ｎをθ２ｎ＋Δθ１　に遅らせ、下限値より早いとき、噴射始期の設定値θ１ｎをθ１ｎ−Δθ２　に早める。【選択図】　図１
2004052171.tif 000002
【特許請求の範囲】
【請求項１】
主ノズルと、緯糸の飛走経路に沿って複数群に分割して列設するサブノズルとを介して経糸開口内に緯糸を緯入れするに際し、緯糸の飛走特性に対する上限値、下限値を設定し、緯糸の飛走特性が下限値より低いとき、各群のサブノズルの噴射終期を遅らせ、上限値より高いとき、噴射始期を早めるように補正することを特徴とするエアジェットルームにおける緯入れ制御方法。
【請求項２】
下限値より小さいバックアップ用の下限値、上限値より大きいバックアップ用の上限値を設定し、緯糸の飛走特性がバックアップ用の下限値より低いとき、主ノズルの噴射圧力を高くし、バックアップ用の上限値より高いとき、噴射圧力を低くするように補正することを特徴とする請求項１記載のエアジェットルームにおける緯入れ制御方法。
【請求項３】
最上流側の群のサブノズルを噴射終期、噴射始期の補正の対象外とすることを特徴とする請求項１または請求項２記載のエアジェットルームにおける緯入れ制御方法。
【発明の詳細な説明】
【０００１】
【発明の属する技術分野】
この発明は、緯入れに使用するエア消費量を必要最少に抑えることができるエアジェットルームにおける緯入れ制御方法に関する。
【０００２】
【従来の技術】
エアジェットルームは、主ノズルと、主ノズルの下流側の複数のサブノズルからのエアジェットを介して緯糸を搬送し、経糸開口内に緯糸を緯入れする。
【０００３】
サブノズルは、一般に、緯糸の飛走経路に沿って複数群に分割して列設し、各群ごとに噴射時期、噴射期間を適切に設定することにより、上流側から下流側に向けて順にエアジェットをリレー噴射させ、１ピック分の緯糸を緩みなく確実に緯入れすることができる。すなわち、各群のサブノズルは、飛走状態の緯糸の先端部分に向けて緯入れ方向のエアジェットを噴射し、緯糸の円滑な飛走を補助することができる。
【０００４】
一方、緯糸の飛走特性は、緯糸の長さ方向に必ずしも均一ではないため、サブノズルの噴射時期、噴射期間を緯糸の飛走特性に合わせて適切に変更制御することが提案されている（たとえば特開平１０−３１０９５１号公報）。すなわち、緯糸の飛走特性が低下すると、サブノズルの噴射終期を遅らせてサブノズルの噴射期間を延長するとともに、織機の起動直後や、緯糸を供給する給糸体の切替時において、それぞれ緯糸の見掛け上、または現実の飛走特性が一時的に向上することに着目して、これらの過渡状態においてサブノズルの噴射始期を早めることが示されている。
【０００５】
【発明が解決しようとする課題】
かかる従来技術によるときは、サブノズルの噴射始期は、過渡状態においてのみ早められるから、それ以外の要因による緯糸の飛走特性の向上に何ら対応できず、飛走中の緯糸が失速して緯糸緩みを発生したり、それに起因する織物品質の低下を来したりすることがあるという問題があった。また、これを防止するために、サブノズルの噴射始期をあらかじめ十分早く設定しておくとすれば、エア消費量が過大となり、製織コスト上不経済であるという問題がある。
【０００６】
そこで、この発明の目的は、かかる従来技術の問題に鑑み、緯糸の飛走特性の変動に応じてサブノズルの噴射始期、噴射終期の双方を適切に補正制御することによって、エア消費量を必要最少に抑えながら、高品位の織物を安定に製織することができるエアジェットルームにおける緯入れ制御方法を提供することにある。
【０００７】
【課題を解決するための手段】
かかる目的を達成するためのこの発明の構成は、主ノズルと、緯糸の飛走経路に沿って複数群に分割して列設するサブノズルとを介して経糸開口内に緯糸を緯入れするに際し、緯糸の飛走特性に対する上限値、下限値を設定し、緯糸の飛走特性が下限値より低いとき、各群のサブノズルの噴射終期を遅らせ、上限値より高いとき、噴射始期を早めるように補正することをその要旨とする。
【０００８】
なお、下限値より小さいバックアップ用の下限値、上限値より大きいバックアップ用の上限値を設定し、緯糸の飛走特性がバックアップ用の下限値より低いとき、主ノズルの噴射圧力を高くし、バックアップ用の上限値より高いとき、噴射圧力を低くするように補正することができる。
【０００９】
また、最上流側の群のサブノズルを噴射終期、噴射始期の補正の対象外としてもよい。
【００１０】
【作用】
かかる発明の構成によるときは、各群のサブノズルは、緯糸の飛走特性が下限値より低いとき、噴射終期が遅らされ、上限値より高いとき、噴射始期が早められ、緯糸の飛走特性の変動に適確に対応させることができる。なお、緯糸の飛走特性は、たとえば緯入れされた緯糸の先端が所定の反緯入れ側の所定位置に到達する到達時期を監視することにより検出することができる。緯糸の飛走特性の高低は、緯糸の到達時期の遅速として顕在化するからである。ただし、到達時期は、緯糸の飛走特性が高くなると早まり、低くなると遅れるから、飛走特性に対する上限値、下限値は、それぞれ到達時期の下限値、上限値として設定することができる。
【００１１】
また、緯糸の飛走特性は、主ノズルから十分離れた緯糸の飛走経路の途中位置における緯糸の先端の到達時期によって検出してもよく、緯糸の測長貯留装置から１ピック分の緯糸が緯入れのために解舒される解舒完了時期によって検出してもよい。緯糸の飛走特性の高低は、これらの到達時期、解舒完了時期の遅速としても顕在化するからである。
【００１２】
緯糸の飛走特性がバックアップ用の下限値、上限値を逸脱したことを検出して主ノズルの噴射圧力を補正すれば、緯糸の飛走特性の一層大きな変動にも有効に対処することが可能である。主ノズルの噴射圧力を高くすれば、緯糸の飛走特性の低下を補うことができ、噴射圧力を低くすれば、飛走特性の向上を相殺することができるからである。なお、主ノズルの噴射圧力を補正すると同時に、各群のサブノズルの噴射圧力を併せて同方向に補正してもよい。
【００１３】
最上流側の群のサブノズルの噴射終期、噴射始期の適正値は、一般に、緯糸の飛走特性の変動により大きな影響を受けることがない。したがって、最上流側の群のサブノズルを噴射終期、噴射始期の補正の対象外とすることにより、無駄なエア消費量を抑えることができる。なお、このように補正の対象外とするサブノズルは、最上流側の群を含む上流側の連続する２群以上としてもよい。
【００１４】
【発明の実施の形態】
以下、図面を以って発明の実施の形態を説明する。
【００１５】
エアジェットルームにおける緯入れ制御方法を実施する緯入れ制御装置１０は、複数組の指令回路１１、１１…、駆動回路１２、１２…と、到達時期検出回路１３と、補正部１４とを備えてなる（図１）。
【００１６】
エアジェットルームは、ドラム式の測長貯留装置３１と、主ノズル３２と、複数群に分割して主ノズル３２の下流側に列設するサブノズル３３、３３…とを備えている（図２）。測長貯留装置３１は、回転ヤーンガイド３１ａを介して給糸体Ｙａ　からの緯糸Ｙをドラム３１ｂ上に巻き付けて貯留し、ドラム３１ｂの表面に向けて進退する係止ピン３１ｃを介し、所定の緯入れ時期にドラム３１ｂ上の緯糸Ｙを１ピック分だけ解舒して緯入れさせる。主ノズル３２は、エアジェットを噴射して測長貯留装置３１からの緯糸Ｙを経糸開口Ｗ内に緯入れし、緯糸Ｙの飛走経路に沿って列設する複数群のサブノズル３３、３３…は、各群ごとにエアジェットをリレー噴射することにより、緯糸Ｙの飛走を補助することができる。なお、主ノズル３２は、レギュレータ３２ａ、電磁弁３２ｂを介してエア源３４からのエアが供給されており、サブノズル３３、３３…は、各群ごとに、レギュレータ３３ａ、電磁弁３３ｂを介してエア源３４からのエアが供給されている。
【００１７】
なお、サブノズル３３、３３…は、主ノズル３２に近い上流側から反緯入れ側に向けて、順に第１群、第２群…第ｎ群に分割されており、第１群が最上流側の群になっている。経糸開口Ｗに緯入れされた緯糸Ｙは、図示しない筬を介して織前ＷＦに打ち込まれ、緯入れ側のカッタＣによって切断される。そこで、織前ＷＦ以降に織布ＷＹを製織することができる。
【００１８】
係止ピン３１ｃ、各レギュレータ３２ａ、３３ａ、各電磁弁３２ｂ、３３ｂは、緯入れ制御装置１０に個別に接続されている。また、測長貯留装置３１には、緯糸Ｙの解舒巻数を計数する解舒センサ３１ｄが付設され、解舒センサ３１ｄからの解舒信号Ｓ２　も、緯入れ制御装置１０に入力されている。エアジェットルームの主軸Ａには、クランク角θを検出するエンコーダＥＮが直結されている。エンコーダＥＮからのクランク角θは、反緯入れ側のウェフトフィーラＦからの糸信号Ｓ１　とともに、緯入れ制御装置１０に入力されている。
【００１９】
緯入れ制御装置１０において、クランク角θは、到達時期検出回路１３の他、測長貯留装置３１の係止ピン３１ｃ用の指令回路１１、主ノズル３２の電磁弁３２ｂ用の指令回路１１、各群のサブノズル３３、３３…の電磁弁３３ｂ用の指令回路１１、１１…に分岐入力されている（図１）。また、糸信号Ｓ１　は、到達時期検出回路１３に入力され、到達時期検出回路１３の出力は、緯糸Ｙの到達時期θｅ　として補正部１４に入力され、補正部１４の出力は、各電磁弁３３ｂ用の指令回路１１、１１…に分岐接続されている。
【００２０】
なお、主ノズル３２の電磁弁３２ｂ用の指令回路１１には、クランク角θによって表わす噴射始期、噴射終期の設定値θ１ｍ、θ２ｍが設定されており、各群のサブノズル３３、３３…の電磁弁３３ｂ用の指令回路１１、１１…には、それぞれ各群のサブノズル３３、３３…の噴射始期、噴射終期の設定値θ１ｎ（ｎ＝１、２…）、θ２ｎ（ｎ＝１、２…）が設定されている。また、係止ピン３１ｃ用の指令回路１１には、解舒センサ３１ｄからの解舒信号Ｓ２　が入力され、緯入れ開始時期の設定値θ１ｄが設定されている。ただし、各指令回路１１の出力は、対応する駆動回路１２を介し、駆動対象としての係止ピン３１ｃ、電磁弁３２ｂ、３３ｂ、３３ｂ…のいずれかに接続されている。
【００２１】
緯入れ制御装置１０には、さらに、主ノズル３２のレギュレータ３２ａ用の指令回路１１、駆動回路１２が組み込まれ、各群のサブノズル３３、３３…のレギュレータ３３ａ用の指令回路１１、１１…、駆動回路１２、１２…が組み込まれている。ただし、図１において、レギュレータ３３ａ用の指令回路１１、駆動回路１２は、代表的に１組のみが図示されている。レギュレータ３２ａ用の指令回路１１には、主ノズル３２の噴射圧力の設定値Ｐｍ　が設定され、レギュレータ３３ａ用の各指令回路１１には、各群のサブノズル３３、３３…の噴射圧力の設定値Ｐｎ　（ｎ＝１、２…）が設定されている。
【００２２】
補正部１４は、タイミング補正量演算器１４ａから構成されている（図３）。タイミング補正量演算器１４ａには、到達時期検出回路１３からの到達時期θｅ　が入力され、到達時期θｅ　に対する上限値θｅ１、下限値θｅ２が設定されている。
【００２３】
係止ピン３１ｃ用の指令回路１１は、エンコーダＥＮからのクランク角θを入力し、クランク角θ＝θ１ｄにおいて、対応する駆動回路１２を介して係止ピン３１ｃをドラム３１ｂの表面から後退させ、ドラム３１ｂ上の緯糸Ｙの係止を解放する。また、主ノズル３２の電磁弁３２ｂ用の指令回路１１は、クランク角θ＝θ１ｍ≒θ１ｄにおいて、対応する駆動回路１２を介して電磁弁３２ｂを開き、主ノズル３２を作動させるから、緯糸Ｙは、ドラム３１ｂから解舒され、経糸開口Ｗ内に緯入れされる。一方、各群のサブノズル３３、３３…の電磁弁３３ｂ用の指令回路１１、１１…は、それぞれクランク角θ＝θ１１、θ１２…θ１ｎにおいて対応する電磁弁３３ｂを順に開き、各群のサブノズル３３、３３…を上流側から下流側に向けて順にリレー噴射させることができる（図４）。ただし、図４の横軸は、クランク角θを示し、縦軸は、主ノズル３２の先端から下流側に計測する緯糸Ｙの飛走距離Ｌを示している。すなわち、各群のサブノズル３３、３３…の噴射始期の設定値θ１１、θ１２…θ１ｎは、θ１１＜θ１２＜…＜θ１ｎに設定されている。
【００２４】
ドラム３１ｂから１ピック分の緯糸Ｙが解舒されると、解舒センサ３１ｄからの解舒信号Ｓ２　が発生し、係止ピン３１ｃ用の指令回路１１は、係止ピン３１ｃをドラム３１ｂに向けて前進させ、緯糸Ｙを係止させる。一方、各群のサブノズル３３、３３…は、各電磁弁３３ｂ用の指令回路１１、１１…が順にクランク角θ＝θ２１、θ２２…θ２ｎを検出することにより、上流側から各群ごとに順に作動を停止する。ただし、噴射終期の設定値θ２１、θ２２…θ２ｎも、θ２１＜θ２２＜…＜θ２ｎに設定されている。また、主ノズル３２は、電磁弁３２ｂ用の指令回路１１がクランク角θ＝θ２ｍを検出することにより、その作動を停止する。なお、主ノズル３２、各群のサブノズル３３、３３…の噴射圧力は、レギュレータ３２ａ用、各レギュレータ３３ａ用の各指令回路１１を介し、それぞれ設定値Ｐｍ　、Ｐｎ　にセットされている。
【００２５】
このようにして緯入れされた緯糸Ｙが飛走距離Ｌ＝Ｌｆ　だけ経糸開口Ｗ内を正常に飛走すると、ウェフトフィーラＦは、緯糸Ｙの先端を検出して糸信号Ｓ１　を発生する。そこで、到達時期検出回路１３は、糸信号Ｓ１　の発生時のクランク角θを読み取ることにより、緯糸Ｙの到達時期θｅ　を検出して補正部１４に送出することができる。ただし、図４において、飛走距離Ｌ＝Ｌｆ　は、主ノズル３２の先端からウェフトフィーラＦまでの距離を示し、同図の斜めの実線は、クランク角θ＝θ１ｍにおいて緯入れが開始された緯糸Ｙの飛走特性を示している。また、図４には、緯糸Ｙの到達時期θｅ　の他、その目標値θｅｏ、上限値θｅ１、下限値θｅ２が併せて図示されている。
【００２６】
補正部１４のタイミング補正量演算器１４ａは、到達時期検出回路１３からの到達時期θｅ　を上限値θｅ１、下限値θｅ２と対比することにより、各群のサブノズル３３、３３…の噴射終期用の補正量Δθ１　、噴射始期用の補正量Δθ２　を各電磁弁３３ｂ用の指令回路１１、１１…に一斉に送出する（図５（Ａ）、（Ｂ）の各実線）。ただし、図５の横軸は、到達時期θｅ　を示し、縦軸は、補正量Δθ１　、Δθ２　を示す。すなわち、補正部１４は、θｅ２≦θｅ　≦θｅ１のとき、Δθ１　＝Δθ２　＝０とし、θｅ　＞θｅ１のとき、Δθ１　＝ａ（一定値）、Δθ２　＝０とし、θｅ　＜θｅ２のとき、Δθ１　＝０、Δθ２　＝ｂ（一定値）を出力する。
【００２７】
そこで、いま、図４の斜めの実線のように、緯糸Ｙの飛走特性が低下し、緯糸Ｙの到達時期θｅ　＞θｅ１であると、電磁弁３３ｂ用の指令回路１１、１１…は、それぞれの噴射終期の設定値θ２ｎを新たな設定値θ３ｎ＝θ２ｎ＋ａに補正することができる。すなわち、各指令回路１１は、対応する各群のサブノズル３３、３３…の噴射終期を設定値θ２ｎから設定値θ３ｎ＝θ２ｎ＋ａに遅らせることができる。
【００２８】
一方、緯糸Ｙの飛走特性が向上して到達時期θｅ　＜θｅ２になると（図６の斜めの実線）、電磁弁３３ｂ用の指令回路１１、１１…は、それぞれの噴射始期の設定値θ１ｎを新たな設定値θ４ｎ＝θ１ｎ−ｂに補正する。すなわち、各指令回路１１は、対応する各群のサブノズル３３、３３…の噴射始期を設定値θ１ｎから設定値θ４ｎ＝θ１ｎ−ｂに早めることができる。
【００２９】
以上の説明において、補正部１４からの補正量Δθ１　、Δθ２　は、到達時期θｅ　＞θｅ１、θｅ　＜θｅ２に対し、それぞれΔθ１　＝ａ（一定値）、Δθ２　＝ｂ（一定値）とするに代えて、Δθ１　＝ｆ１　（θｅ　）、Δθ２　＝ｆ２　（θｅ　）として、リミット値ａ１　、ｂ１　を有する到達時期θｅ　の関数ｆ１　、ｆ２　としてもよい（図５（Ａ）、（Ｂ）の各破線）。
【００３０】
また、補正部１４からの補正量Δθ１　、Δθ２　は、各群のサブノズル３３、３３…の電磁弁３３ｂ用の指令回路１１、１１…の全部に対して一斉に送出するに代えて、少なくとも最上流側の群を含む上流側の連続する１群以上のサブノズル３３、３３…の電磁弁３３ｂ用の指令回路１１を除外して送出してもよく、１または２以上の任意の群のサブノズル３３、３３…の電磁弁３３ｂ用の指令回路１１を除外して送出してもよい。さらに、補正量Δθ１　、Δθ２　は、電磁弁３３ｂ用の指令回路１１、１１…の全部または一部に対し、各群ごとに、ｋｎ　Δθ１　、ｋｎ　Δθ２　に修正して送出してもよい。ただし、第１群、第２群…第ｎ群用の修正係数ｋｎ　（ｎ＝１、２…）は、たとえばｋ１　≦ｋ２　≦…≦ｋｎ　に設定することができる。
【００３１】
また、図２において、ウェフトフィーラＦは、緯糸Ｙの緯入れの成否を併せて監視してもよく、到達時期θｅ　を検出するために専用に設置してもよい。なお、到達時期θｅ　は、ウェフトフィーラＦからの糸信号Ｓ１　を使用するに代えて、緯糸Ｙの飛走経路の途中に設置する専用のフィーラＦ１　からの糸信号Ｓ３　を使用して検出してもよく（同図）、あるいは、解舒センサ３１ｄからの解舒信号Ｓ２　を使用して検出してもよい。
【００３２】
なお、図１の到達時期検出回路１３、補正部１４の間には、適当な平均化回路を介装してもよい。平均化回路は、最近の所定回数の緯入れにおける到達時期θｅ　、θｅ　…を平均化して補正部１４に出力するから、補正部１４からの補正量Δθ１　、Δθ２　が過大にばらつくおそれがない。また、このような平均化回路は、到達時期θｅ　、θｅ　…の単純平均に代えて、たとえば適当な移動平均、重み付け平均などの統計手法を採用することにより、最も妥当な最頻値などを見出してもよい。
【００３３】
【他の実施の形態】
補正部１４は、タイミング補正量演算器１４ａに対し、圧力補正量演算器１４ｂを併設することができる（図７）。なお、圧力補正量演算器１４ｂには、バックアップ用の上限値θｅ３＞θｅ１、バックアップ用の下限値θｅ４＜θｅ２が設定されており、圧力補正量演算器１４ｂの出力は、補正量ΔＰとして、主ノズル３２のレギュレータ３２ａ用の指令回路１１に入力されている。
【００３４】
圧力補正量演算器１４ｂは、到達時期θｅ　＞θｅ３、θｅ　＜θｅ４のとき、それぞれ補正量ΔＰ＝ｃ（一定値）、ΔＰ＝ｄ（一定値）を出力し（図８の実線）、θｅ４≦θｅ　≦θｅ３のとき、ΔＰ＝０とする。よって、指令回路１１は、緯糸Ｙの飛走特性が極端に低下して到達時期θｅ　＞θｅ３になると、主ノズル３２の噴射圧力を設定値Ｐｍ　から設定値Ｐｍ　＋ｃに高め、緯糸Ｙの飛走特性が極端に向上して到達時期θｅ　＜θｅ４になると、主ノズル３２の噴射圧力を設定値Ｐｍ　から設定値Ｐｍ　−ｄに低くするように補正することができる。なお、圧力補正量演算器１４ｂは、ΔＰ＝ｃ（一定値）、ｄ（一定値）を出力するに代えて、ΔＰ＝ｇ１　（θｅ　）、ｇ２　（θｅ　）を出力してもよい（図８の破線）。ただし、ｇ１　、ｇ２　は、それぞれリミット値ｃ１　、ｄ１　を有する到達時期θｅ　の関数である。
【００３５】
ここで、圧力補正量演算器１４ｂからの補正量ΔＰによる噴射圧力の補正は、タイミング補正量演算器１４ａからの補正量Δθ１　、Δθ２　による噴射終期、噴射始期の補正に比して応答性がよくないのが普通である。したがって、一旦出力された圧力補正量演算器１４ｂからの補正量ΔＰ≠０は、タイミング補正量演算器１４ａにおいて、たとえばθｅ２≦θｅ　≦θｅ１が検出されない限りΔＰ＝０に復帰させないことが好ましく、かかる圧力補正量演算器１４ｂの動作は、タイミング補正量演算器１４ａから圧力補正量演算器１４ｂにリセット信号Ｓ４　を出力することにより実現することができる（図７）。ただし、圧力補正量演算器１４ｂは、リセット信号Ｓ４　を介し、θｅ２≦θｅ　≦θｅ１の検出時にΔＰ＝０に復帰させるに代えて、θｅ　＞θｅ３、θｅ　＜θｅ４に対する各補正量ΔＰ≠０を、それぞれたとえばθｅ　＜θｅｏ、θｅ　＞θｅｏの検出時にΔＰ＝０に復帰させてもよい。
【００３６】
なお、圧力補正量演算器１４ｂからの補正量ΔＰは、各群のサブノズル３３、３３…のレギュレータ３３ａ用の指令回路１１、１１…にも併せて送出することができる。なお、このとき、各指令回路１１に対し、補正量ΔＰをｋｎ　ΔＰに修正して送出してもよい。ただし、ｋｎ　（ｎ＝１、２…ｎ）は、第１群、第２群…第ｎ群に対する修正係数である。
【００３７】
タイミング補正量演算器１４ａの動作は、到達時期θｅ　が更新されるごとに作動するソフトウェアプログラムによっても実現することができる（図９）。
【００３８】
プログラムは、到達時期θｅ　を上限値θｅ１、下限値θｅ２と対比して判別し（図９のプログラムステップ（１）、以下、単に（１）のように記す）、θｅ２≦θｅ　≦θｅ１のとき、補正量Δθ１　＝Δθ２　＝０として（２）、補正量Δθ１　、Δθ２　を出力して終了する（３）。一方、プログラムは、θｅ　＞θｅ１のとき、噴射始期に対する補正量Δθ２　＝０とした上（４）、噴射終期に対する補正量Δθ１　をリミット値ａ１　以下の範囲において適当な調整量δ１　≦ａ１　ずつ増加させて（（５）〜（７））、補正量Δθ１　、Δθ２　を出力する（３）。また、θｅ　＜θｅ２のとき、噴射終期に対する補正量Δθ１　＝０とした上（８）、噴射始期に対する補正量Δθ２　をリミット値ｂ１　以下の範囲において適当な調整量δ２　≦ｂ１　ずつ増加させて（（９）〜（１１））、補正量Δθ１　、Δθ２　を出力する（３）。
【００３９】
なお、図９において、到達時期θｅ　は、緯糸Ｙの緯入れの都度更新され、または複数回の緯入れの都度、たとえば平均化処理して更新されるものとする。また、圧力補正量演算器１４ｂの動作も、図９に準じてソフトウェア化することが可能である（図示省略）。
【００４０】
また、タイミング補正量演算器１４ａ、圧力補正量演算器１４ｂを有する図７の補正部１４の動作は、図１０のプログラムフローチャートによって実現することができる。ただし、図１０のプログラムステップ（２）は、図９のプログラム（２）、（３）に対応しており、前者のプログラムステップ（４）、（６）は、それぞれが後者のプログラムステップ（４）、（３）に対応し、前者のプログラムステップ（９）、（１１）は、それぞれが後者のプログラムステップ（８）、（３）に対応している。また、図１０のプログラムステップ（５）、（７）は、それぞれが図９のプログラムステップ（５）〜（７）、（３）に対応し、前者のプログラムステップ（１０）、（１２）は、それぞれが後者のプログラムステップ（９）〜（１１）、（３）に対応している。なお、図１０のプログラムステップ（３）、（８）、（１３）は、圧力補正量演算器１４ｂの動作である。
【００４１】
以上の説明において、図７のタイミング補正量演算器１４ａ、圧力補正量演算器１４ｂは、それぞれ到達時期θｅ　の瞬時値、到達時期θの平均値に着目して動作させることができる。なお、このときの圧力補正量演算器１４ｂには、たとえば上限値θｅ３、下限値θｅ４＜θｅ３として、θｅ２＜θｅ３＜θｅ１、θｅ２＜θｅ４＜θｅ１を設定するものとする。タイミング補正量演算器１４ａは、緯入れの都度、サブノズル３３、３３…の噴射終期、噴射始期に対する補正量Δθ１　、Δθ２　を出力して速応性を発揮する一方、圧力補正量演算器１４ｂは、所定回数の緯入れの到達時期θｅ　、θｅ　…の平均値が上限値θｅ３、下限値θｅ４の間に収束するように、主ノズル３２の噴射圧力に対する補正量ΔＰを出力することができるから、到達時期θｅ　の一時的な変動、長期的な変動の双方に対して好適に対処することが可能である。
【００４２】
ただし、前述したように、補正部１４に適当な平均化回路を前置することにより、タイミング補正量演算器１４ａ、圧力補正量演算器１４ｂの双方を到達時期θｅ　、θｅ　…の平均値に対応させてもよい。また、到達時期θｅ　、θｅ　…の平均値に着目する圧力補正量演算器１４ｂは、到達時期θｅ　の目標値θｅｏとの大小関係を判別することにより、到達時期θｅ　の平均値を目標値θｅｏに近づけるように動作させてもよい。
【００４３】
また、図１、図２において、サブノズル３３、３３…のレギュレータ３３ａ、３３ａ…は、各群ごとに設けるに代えて、隣接する２群以上に共通に設けてもよく、すべての群に共通に設けてもよい。ただし、これらの場合、レギュレータ３３ａ用の指令回路１１、１１…は、各レギュレータ３３ａに対応して設ければよい。また、各レギュレータ３３ａは、手動式とし、レギュレータ３３ａ用の指令回路１１、１１…を全部省略してもよく、このときの補正部１４は、圧力補正量演算器１４ｂを含まないものとする。
【００４４】
なお、この発明は、緯糸Ｙの到達時期θｅ　＝θｅｏとなるように、主ノズル３２の噴射始期の設定値θ１ｍ、係止ピン３１ｃの緯入れ開始時期の設定値θ１ｄを制御する緯入れ時期の開始時期制御と併用してもよい。また、この発明は、補正部１４に設定する上限値θｅ１、下限値θｅ２、バックアップ用の上限値θｅ３、下限値θｅ４や、補正量Δθ１　、Δθ２　、ΔＰなどを糸種ごとに設定し、緯入れする緯糸Ｙの糸種によって適切に選択使用することにより、多色緯入れ織機にも好適に適用することができる。
【００４５】
【発明の効果】
以上説明したように、この発明によれば、緯糸の飛走特性が下限値より低いとき、上限値より高いとき、それぞれ各群のサブノズルの噴射終期を遅らせ、噴射始期を早めるように補正することによって、緯糸の飛走特性が変動しても、各群のサブノズルの噴射期間を過大に大きくすることなく安定な緯入れを実現することができるから、エア消費量を必要最少に抑えながら、高品位の織物を安定に製織することができるという優れた効果がある。
【図面の簡単な説明】
【図１】全体構成ブロック系統図
【図２】織機の要部構成系統図
【図３】図１の要部ブロック系統図
【図４】動作説明線図（１）
【図５】動作説明線図（２）
【図６】動作説明線図（３）
【図７】他の実施の形態を示す図２相当図
【図８】動作説明線図（４）
【図９】プログラムフローチャート（１）
【図１０】プログラムフローチャート（２）
【符号の説明】
Ｙ…緯糸
Ｗ…経糸開口
３２…主ノズル
３３…サブノズル
【図１】
2004052171.tif 000003
【図２】
2004052171.tif 000004
【図３】
2004052171.tif 000005
【図４】
2004052171.tif 000006
【図５】
2004052171.tif 000007
【図６】
2004052171.tif 000008
【図７】
2004052171.tif 000009
【図８】
2004052171.tif 000010
【図９】
2004052171.tif 000011
【図１０】
2004052171.tif 000012